(57)【要約】【課題】シングル根太の場合とダブル根太の場合の両方に１枚で容易に対応できるようにした断熱材支持ボードを提供する。【解決手段】矩形状の板体１０の幅方向の両側部のうちの一方の側部に、他方の側部に形成された折曲線２１との間の距離を違えた２本の折曲線３１、４１を形成し、各折曲線３１、４１の外側の部分を折曲片とする。また、各折曲線３１、４１を基準にして、内方に凸形状の切込線３３、４２を形成し、切込線で囲まれた内側の部分を起立片３４、４４とする。根太の間隔に応じた位置の折曲線で折曲片を裏面側に折り曲げ、それにより表面側に起立する起立片２４、３４、４４を根太の内側面に固定する。【選択図】図３
2014190004.tif 000002
【特許請求の範囲】
【請求項１】
並列に配された桟部材により挟まれた空間に断熱材を収容するに当たり、前記空間の底面に配されて両側部が前記桟部材に支持されることで、前記断熱材を支持する断熱材支持ボードにおいて、
矩形状の板体の幅方向の両側部の各側端から内方に間隔をおいた位置に、前記空間を挟む桟部材の内側面間の間隔と合致する間隔を隔てて仮想直線が設定され、前記各仮想直線上に、該仮想直線の延びる方向に間隔をおいて、前記空間側となる前記板体の表面側から見て山折りされる折曲線が形成され、該折曲線の外方の帯板状の部分が前記板体の裏面側に垂直に折り曲げられる折曲片とされ、
前記同一の仮想直線上に配されて隣接する前記折曲線の近接端の間に、前記折曲線の内方に向けて凸形状をなし且つ前記近接端のうちの一方から他方に至る切込線が形成され、該切込線で囲まれた内側の部分が、前記折曲線で前記折曲片を前記板体の裏面側に垂直に折り曲げたときに前記板体の表面側に垂直に起立する起立片とされ、
前記板体の幅方向の両側部のうちの一方の側部に、他方の側部に形成された前記折曲線との間の距離を違えた複数の前記折曲線が形成されると共に、それら各折曲線を基準にして前記切込線が形成され、
前記空間を挟む桟部材の内側面間の間隔に応じた位置の前記折曲線で前記折曲片が前記板体の裏面側に垂直に折り曲げられたときに前記板体の表面側に垂直に起立する前記起立片が、前記空間を挟む桟部材の内側面に対し固定可能とされていることを特徴とする断熱材支持ボード。
【請求項２】
前記折曲線、折曲片、切込線が、それぞれ第１の折曲線、第１の折曲片、第１の切込線とされるとき、
前記仮想直線の両端部に近い位置に、前記第１の折曲線で前記第１の折曲片が前記板体の裏面側に折り曲げられたときにスロット状の差込孔を形成する第２の切込線が形成され、
一方、前記矩形状の板体の幅方向と直交する長手方向の両側部の各側端から内方に間隔をおいた位置に、前記空間側となる前記板体の表面側から見て山折りされる第２の折曲線が形成され、該第２の折曲線の外方の帯板状の部分が、前記板体の裏面側に垂直に折り曲げられる第２の折曲片とされ、
該第２の折曲片の前記板体の幅方向における両端に、該第２の折曲片が第２の折曲線で前記板体の裏面側に垂直に折り曲げられたときに、先に前記第１の折曲線で第１の折曲片が前記板体の裏面側に折り曲げられることで前記第２の切込線により形成される前記差込孔に差し込まれる差込片が形成されていることを特徴とする請求項１に記載の断熱材支持ボード。
【請求項３】
並列に配された桟部材により挟まれた空間に断熱材を収容するに当たり、請求項１または２に記載の断熱材支持ボードの幅方向の両側部の折曲片を、前記空間を挟む桟部材の内側面間の間隔に応じた位置の前記折曲線で前記板体の裏面側に垂直に折り曲げ、その折り曲げによって前記板体の表面側に垂直に起立した起立片を前記桟部材の内側面に当接させ、その状態で前記起立片を固定部材により前記桟部材に固定したことを特徴とする断熱材支持ボードの取付構造。
【発明の詳細な説明】
【技術分野】
【０００１】
本発明は、家屋の床下（床板の裏側）等に断熱材を施工する際に使用される断熱材支持ボード、および、その取付構造に関するものである。
【背景技術】
【０００２】
家屋の床下に断熱材を施工する場合、図１５に示すように、床下に根太（桟部材）１１０が一定の間隔で平行（並列）に配置されているので、根太１１０で挟まれる空間に断熱材を収容するようにしている。その際、断熱材を収容する空間の底面にプラスチックダンボールなどの断熱材支持ボード１０１を配置し、これを根太１１０の下端に固定した受材１０５の上に載せることで、断熱材支持ボード１０１を支持している。なお、平行に配置された根太１１０は、大引１１２や土台１１６の上に支持されており、前記の断熱材を収容する空間は、転び止め１１４や、転び止め１１４と平行に配された別の根太１１０によって、上から見た際に矩形の空間として画成されている。
【０００３】
図１５に示す例の場合、断熱材支持ボード１０１を受材１０５で支持していたが、受材１０５を用いないで、例えば、特許文献１に記載されたスペーサのように、断熱材支持ボード１０１の両側部にボードの主板に対して垂直に折り曲げた折曲片を形成し、その折曲片をステープル（タッカー針）等の固定部材によって根太１１０に固定することで、断熱材支持ボード１０１を根太１１０によって支持するようにすることもできる。
【先行技術文献】
【特許文献】
【０００４】
【特許文献１】特開２０１０−１０６６５７号公報
【発明の概要】
【発明が解決しようとする課題】
【０００５】
ところで、床下に根太を施工する場合、根太を１本ずつ平行に配置するシングル根太の場合と、必要箇所の根太を２本にしてダブルで配置することにより、床板の支持荷重を増強するダブル根太の場合とがある。シングル根太の場合とダブル根太の場合とでは、前記の断熱材を収容する空間の幅が異なってくる。そのため、断熱材支持ボードの両側部に折曲片を形成して、前記の空間の底面に断熱材支持ボードを配置する場合は、シングル根太の場合とダブル根太の場合に備えて別々のサイズの断熱材支持ボードを用意しなくてはならず、部品点数が増えて取り扱いが面倒になる。
【０００６】
本発明は、上記事情を考慮し、シングル根太の場合とダブル根太の場合の両方に１枚で容易に対応できるようにした断熱材支持ボードとその取付構造を提供することを目的とする。
【課題を解決するための手段】
【０００７】
本発明は、上記課題を解決するために、以下の手段を採用する。
即ち、請求項１の発明の断熱材支持ボードは、並列に配された桟部材により挟まれた空間に断熱材を収容するに当たり、前記空間の底面に配されて両側部が前記桟部材に支持されることで、前記断熱材を支持する断熱材支持ボードにおいて、矩形状の板体の幅方向の両側部の各側端から内方に間隔をおいた位置に、前記空間を挟む桟部材の内側面間の間隔と合致する間隔を隔てて仮想直線が設定され、前記各仮想直線上に、該仮想直線の延びる方向に間隔をおいて、前記空間側となる前記板体の表面側から見て山折りされる折曲線が形成され、該折曲線の外方の帯板状の部分が前記板体の裏面側に垂直に折り曲げられる折曲片とされ、前記同一の仮想直線上に配されて隣接する前記折曲線の近接端の間に、前記折曲線の内方に向けて凸形状をなし且つ前記近接端のうちの一方から他方に至る切込線が形成され、該切込線で囲まれた内側の部分が、前記折曲線で前記折曲片を前記板体の裏面側に垂直に折り曲げたときに前記板体の表面側に垂直に起立する起立片とされ、前記板体の幅方向の両側部のうちの一方の側部に、他方の側部に形成された前記折曲線との間の距離を違えた複数の前記折曲線が形成されると共に、それら各折曲線を基準にして前記切込線が形成され、前記空間を挟む桟部材の内側面間の間隔に応じた位置の前記折曲線で前記折曲片が前記板体の裏面側に垂直に折り曲げられたときに前記板体の表面側に垂直に起立する前記起立片が、前記空間を挟む桟部材の内側面に対し固定可能とされていることを特徴とする。
【０００８】
これにより、断熱材支持ボードの幅方向の両側部のうちの一方の側部に設けられた複数の折曲線のうちのいずれかの折曲線を、断熱材を収容する空間を挟む桟部材の内側面間の間隔に応じて選択し、選択した折曲線で折曲片を板体の裏面側に垂直に折り曲げることにより、断熱材支持ボードの取付幅寸法を桟部材の内側面間の間隔に合致させることができる。従って、１枚の断熱材支持ボードでありながら、シングル根太の場合（桟部材の内側面間の間隔が広い場合）の取付幅とダブル根太の場合（桟部材の内側面間の間隔が狭い場合）の取付幅の両方に現場にて容易に対応させることができる。また、ボードの裏面側に突き出す折曲片ではなく、折曲片と反対の表面側に起立する起立片を桟部材に対して固定可能としたことで、断熱材支持ボードを、できるだけ断熱材の収容空間を大きくした位置で桟部材に固定することができ、断熱材の収容量を大きくすることができる。
【０００９】
請求項２の発明は、請求項１に記載の断熱材支持ボードにおいて、前記折曲線、折曲片、切込線が、それぞれ第１の折曲線、第１の折曲片、第１の切込線とされるとき、前記仮想直線の両端部に近い位置に、前記第１の折曲線で前記第１の折曲片が前記板体の裏面側に折り曲げられたときにスロット状の差込孔を形成する第２の切込線が形成され、一方、前記矩形状の板体の幅方向と直交する長手方向の両側部の各側端から内方に間隔をおいた位置に、前記空間側となる前記板体の表面側から見て山折りされる第２の折曲線が形成され、該第２の折曲線の外方の帯板状の部分が、前記板体の裏面側に垂直に折り曲げられる第２の折曲片とされ、該第２の折曲片の前記板体の幅方向における両端に、該第２の折曲片が第２の折曲線で前記板体の裏面側に垂直に折り曲げられたときに、先に前記第１の折曲線で第１の折曲片が前記板体の裏面側に折り曲げられることで前記第２の切込線により形成される前記差込孔に差し込まれる差込片が形成されていることを特徴とする。
【００１０】
これにより、ボードの幅方向の両端の第１の折曲片と長手方向の両端の第２の折曲片とを連結した形にすることができ、断熱材支持ボードを箱型に形成することができて、強度を高めることができる。
【００１１】
請求項３の発明の断熱材支持ボードの取付構造は、並列に配された桟部材により挟まれた空間に断熱材を収容するに当たり、請求項１または２に記載の断熱材支持ボードの幅方向の両側部の折曲片を、前記空間を挟む桟部材の内側面間の間隔に応じた位置の前記折曲線で前記板体の裏面側に垂直に折り曲げ、その折り曲げによって前記板体の表面側に垂直に起立した起立片を前記桟部材の内側面に当接させ、その状態で前記起立片を固定部材により前記桟部材に固定したことを特徴とする。
【００１２】
これにより、１枚の断熱材支持ボードでありながら、シングル根太の場合（桟部材の内側面間の間隔が広い場合）の取付幅とダブル根太の場合（桟部材の内側面間の間隔が狭い場合）の取付幅の両方に現場にて容易に対応させることができる。また、折曲片ではなく折曲片の反対側に突出した起立片を桟部材に対して固定するので、断熱材支持ボードを、できるだけ断熱材の収容空間を大きくした位置で桟部材に固定することができ、断熱材の収容量を大きくすることができる。
【発明の効果】
【００１３】
請求項１の発明によれば、１枚の断熱材支持ボードでありながら、シングル根太の場合（桟部材の内側面間の間隔が広い場合）の取付幅とダブル根太の場合（桟部材の内側面間の間隔が狭い場合）の取付幅の両方に現場にて容易に対応させることができる。また、起立片を桟部材に対して固定することで、断熱材支持ボードを、できるだけ断熱材の収容空間を大きくした位置で桟部材に固定することができ、断熱材の収容量を大きくすることができる。また、起立片が起立した後には孔が明くので、その孔を通して断熱材支持ボードの裏面側から起立片の固定不良等を補修することができる。
【００１４】
請求項２の発明によれば、幅方向の両端の第１の折曲片と長手方向の両端の第２の折曲片とを連結した形にすることができ、断熱材支持ボードを箱型に形成することができて、強度を高めることができる。
【００１５】
請求項３の発明によれば、１枚の断熱材支持ボードでありながら、シングル根太の場合の取付幅とダブル根太の場合の取付幅の両方に現場にて容易に対応させることができる。また、起立片を桟部材に対して固定しているので、断熱材支持ボードを、できるだけ断熱材の収容空間を大きくした位置で桟部材に固定することができ、断熱材の収容量を大きくすることができる。
【図面の簡単な説明】
【００１６】
【図１】本発明の実施形態の断熱材支持ボードの組み立て前の展開図である。
【図２】同ボードの組み立て前の斜視図である。
【図３】同ボードの組み立て後の状態を示す斜視図で、（ａ）はシングル根太の取付幅に組み立てた状態を示す図、（ｂ）はダブル根太の取付幅に組み立てた状態を示す図である。
【図４】同ボードの長手方向の端部の折曲片の両端に設けた差込片とその差込孔の関係を示す図で、（ａ）は組み立て途中の状態を示す斜視図、（ｂ）は組み立て後の状態を示す斜視図である。
【図５】同ボードの根太への取り付け後の状態を示す斜視図で、（ａ）はシングル根太に取り付けた状態を示す断面図、（ｂ）はダブル根太に取り付けた状態を示す断面図である。
【図６】同ボードの実際の取付状態を示す斜視図である。
【図７】同ボードの起立片と差込片を根太にタッカー針で固定する場合のタッカー針の向きを示す図である。
【図８】同ボードの施工例を示す図で、定ピッチで配された根太と根太との間に中間根太がある場合の施工例を示す断面図である。
【図９】同ボードの施工例を示す図で、根太と根太との間隔が定寸でない場合の施工例を示す断面図である。
【図１０】定寸の前記断熱材支持ボードの長手方向端部の納まりを示す図である。
【図１１】定寸でない前記断熱材支持ボードの長手方向端部の納まりを示す図である。
【図１２】根太に補強根太や継手根太が添えられている場合の前記断熱材支持ボードの幅方向の納まりを示す図で、（ａ）は同ボードの側部に切り込みが入れられている組み立て前の状態を示す斜視図、（ｂ）は切り込みの位置を境にシングル根太用の折曲線で折曲片を曲げた部分とダブル根太用の折曲線で折曲片を曲げた部分とを形成した組み立て後の状態を示す斜視図、（ｃ）は（ｂ）のように組み立てたボードの取付対象である根太の構成を示す斜視図である。
【図１３】前記ボードを貫通する配管などがある場合の対処の仕方を示す斜視図である。
【図１４】前記ボードを取り付けた後の補修時などの対応の仕方を示す図で、（ａ）は側面図、（ｂ）は斜視図である。
【図１５】従来の断熱材支持ボードの施工例を示す斜視図である。
【発明を実施するための形態】
【００１７】
以下、本発明の実施形態を図面に基づいて説明する。
図１は実施形態の断熱材支持ボードの組み立て前の展開図、図２は斜視図、図３は組み立て後の状態を示す斜視図で、（ａ）はシングル根太の取付幅に組み立てた状態を示す図、（ｂ）はダブル根太の取付幅に組み立てた状態を示す図である。また、図４は同ボードの長手方向の端部の折曲片の両端に設けた差込片とその差込孔の関係を示す図で、（ａ）は組み立て途中の状態を示す斜視図、（ｂ）は組み立て後の状態を示す斜視図、図５は同ボードの根太への取り付け後の状態を示す斜視図で、（ａ）はシングル根太に取り付けた状態を示す断面図、（ｂ）はダブル根太に取り付けた状態を示す断面図、図６は同ボードの実際の取付状態を示す斜視図、図７は同ボードの起立片と差込片を根太にタッカー針で固定する場合のタッカー針の向きを示す図である。
【００１８】
図１および図２に示す断熱材支持ボード１は、プラスチック製のダンボールよりなる矩形状の板体１０により構成されている。この断熱材支持ボード１は、図６に示すように、図示略の床板を支持するために床下に平行に配置された根太（桟部材）１１０により挟まれた空間にグラスウール等の断熱材（図５において符号５００で示す）を収容するに当たって使用されるものであり、断熱材を収容する空間の底面に配されて両側部が根太１１０に支持されることで断熱材を支持する。
【００１９】
図１および図２に示すように、断熱材支持ボード１を構成する矩形状の板体１０は、互いに平行な幅方向の２つの側端１１、１２と、互いに平行で幅方向の２つの側端１１、１２と直交する長手方向の２つの側端１３、１４とを有する。ダンボールの芯材のリブ１７は、幅方向に沿って延びている。また、板体１の中央領域には、表裏方向に貫通した多数の通気孔１８が形成されている。
【００２０】
矩形状の板体１０の幅方向の両側部の各側端１１、１２から内方に間隔をおいた位置には、断熱材の収容空間を挟む根太１１０の内側面間の間隔と合致する間隔を隔てて仮想直線２１Ａ、３１Ａ、４１Ａが設定されており、各仮想直線２１Ａ、３１Ａ、４１Ａ上に、仮想直線２１Ａ、３１Ａ、４１Ａの延びる方向に間隔をおいて、断熱材の収容空間側となる板体１０の表面側から見て山折りされる第１の折曲線２１、３１、４１が形成されている。そして、第１の折曲線２１、３１、４１の外方の帯板状の部分が、板体の裏面側に垂直に折り曲げられる第１の折曲片２２、３２、４２とされている。
【００２１】
また、同一の仮想直線２１Ａ、３１Ａ、４１Ａ上に配されて隣接する第１の折曲線２１、３１、４１の近接端２１ｅ、３１ｅ、４１ｅの間に、第１の折曲線２１、３１、４１の内方に向けて凸形状をなし且つ近接端２１ｅ、３１ｅ、４１ｅのうちの一方から他方に至る第１の切込線２３、３３、４３が形成され、第１の切込線２３、３３、４３で囲まれた内側の部分が、第１の折曲線２１、３１、４１で第１の折曲片２２、３２、４２を板体１０の裏面側に垂直に折り曲げたときに板体１０の表面側に垂直に起立する起立片２４、３４、４４とされている。
【００２２】
この断熱材支持ボード１の場合、板体１０の幅方向の両側部のうちの一方の側部に、他方の側部に形成された第１の折曲線２１との間の距離を違えた２本の第１の折曲線３１、４１が形成されると共に、それら各第１の折曲線３１、４１を基準にして第１の切込線３３、４３が形成されている。
【００２３】
これら２本の第１の折曲線３１、４１のうちの外側の１本は、シングル根太用の折曲線３１であり、内側の１本はダブル根太用の折曲線４１である。
【００２４】
起立片２４、３４、４４は、断熱材の収容空間を挟む根太１１０の内側面間の間隔に応じた位置の折曲線２１、３１、４１で折曲片２２、３２、４２が板体１０の裏面側に垂直に折り曲げられたときに板体１０の表面側に垂直に起立するものであり、断熱材の収容空間を挟む根太１１０の内側面に対し固定される部分である。
【００２５】
また、前記仮想直線２１Ａ、３１Ａ、４１Ａの両端部に近い位置には、第１の折曲線２１、３１、４１で第１の折曲片２２、３２、４２が板体１０の裏面側に折り曲げられたときに、スロット状の差込孔２６、３６、４６を形成するコ字状の第２の切込線２５、３５、４５が形成されている。
【００２６】
一方、矩形状の板体１０の幅方向と直交する長手方向の両側部の各側端１３、１４から内方に間隔をおいた位置には、断熱材の収容空間側となる板体１０の表面側から見て山折りされる第２の折曲線５１が形成され、第２の折曲線５１の外方の帯板状の部分が、板体１０の裏面側に垂直に折り曲げられる第２の折曲片５２とされている。
【００２７】
これらの第２の折曲片５２の板体１０の幅方向における両端には、第２の折曲片５２が第２の折曲線５１で板体１０の裏面側に垂直に折り曲げられたときに、先に第１の折曲線２１、３１、４１で第１の折曲片２２、３２、４２が板体１０の裏面側に折り曲げられることで第２の切込線２５、３５、４５により形成される差込孔２６、３６、４６に差し込まれる差込片５５が形成されている。なお、差込片５５は、第２の折曲片５２の両端に設けられた第３の折曲線５３、５６、５８の先の第３の折曲片５４、５７、５９に突設されている。また、差込片５５は、先端に行くこど側縁５５ａの幅が狭まった台形状のもので、側縁５５ａの基端には、差込孔２６、３６、４６に差し込んだ際に孔縁に係合する括れ部５５ｂが設けられている。
【００２８】
この断熱材支持ボード１を使用する場合は、次のように組み立てる。
まず、シングル根太に断熱材支持ボード１を取り付ける場合を説明する。シングル根太の場合は、図５（ａ）に示すように、平行に配された２本の根太１１０の内側面間の間隔が広い寸法Ｌ１である。そこで、その場合は、図３（ａ）に示すように、板体１０の一方の側部に設けた２本の第１の折曲線３１、４１のうちの外側の第１の折曲線３１で、第１の折曲片３２を裏面側に垂直に折り曲げる。また、他方の側部については、第１の折曲線２１で、第１の折曲片２２を裏面側に垂直に折り曲げる。
【００２９】
こうすることで、第１の切込線２３、３３で囲まれた起立片２４、３４が、第１の折曲片２２、３２と一体に板体１の表面側に垂直に起立する。そして、一方の側部の起立片２４から他方の側部の起立片３４までの距離が、シングルの根太１１０の内側面間の寸法に合致する寸法Ｌ１となる。
【００３０】
また、シングル根太の場合は、折り曲げる第１の折曲線２１、３１に近い位置にある第３の折曲線５３、５６で第３の折曲片５４、５７を折り曲げ、図３（ａ）、図４（ａ）および（ｂ）に示すように、差込片５５を差込孔２６、３６に差し込む。そうすると、差込片５５は、差込孔２６、３６から突出して、起立片２４、３４と同列に並ぶ。このように差込片５５を差込孔２６、３６に差し込むことで、断熱材支持ボード１を強度の高い箱型に形成することができる。また、差込片５５は台形状に形成してあり、基部に括れ部５５ｂを設けてあるので、いったん差込孔２６、３６を差し込むことで、容易に抜けないようになっている。
【００３１】
また、ダブル根太に断熱材支持ボード１を取り付ける場合は、図５（ｂ）に示すように、平行に配された２本の根太１１０の内側面間の間隔が広い寸法Ｌ２である。そこで、その場合は、図３（ｂ）に示すように、板体１０の一方の側部に設けた２本の第１の折曲線３１、４１のうちの内側の第１の折曲線４１で、第１の折曲片４２を裏面側に垂直に折り曲げる。また、他方の側部については、第１の折曲線２１で、第１の折曲片２２を裏面側に垂直に折り曲げる。
【００３２】
こうすることで、第１の切込線２３、４３で囲まれた起立片２４、４４が、第１の折曲片２２、４２と一体に板体１の表面側に垂直に起立する。そして、一方の側部の起立片２４から他方の側部の起立片４４までの距離が、シングルの根太１１０の内側面間の寸法に合致する寸法Ｌ２となる。
【００３３】
ダブル根太の場合は、図３（ｂ）に示すように、折り曲げる第１の折曲線２１、４１に近い位置にある第３の折曲線５３、５８で第３の折曲片５４、５９を折り曲げ、図４（ａ）および（ｂ）に示すた場合と同様に、差込片５５を差込孔２６、４６に差し込む。そうすると、差込片５５は、差込孔２６、４６から突出して、起立片２４、４４と同列に並ぶ。
【００３４】
このようの断熱材支持ボード１を組み立てたら、図６に示すように、根太１１０の下端と板体１０とが同一ラインとなるよう断熱材支持ボード１を根太１１０間に配置し、折り曲げによって板体１０の表面側に垂直に起立した起立片２４、３４や差込孔２６、３６、４６から突出する差込片５５を根太１１０の内側面に当接させ、その状態で、図７に示すように、起立片２４、３４および差込片５５をタッカー針（固定部材）２００により根太１１０に固定する。なお、タッカー針２００は、図７に示すように、根太１１０の方向と平行に打ち込むか、斜めに打ち込むのがよく、縦方向に打ち込むのは避けるのがよい。また、タッカー針２００は、肩幅１２ｍｍ以上、足長１０ｍｍ以上のサイズのものを使用するのが好ましい。
【００３５】
また、断熱材支持ボード１の長手方向に継ぎ目Ｎが存在する場合は、断熱材支持ボード１を最小の隙間をあけて配置したり、断熱材支持ボード１の長手方向の端部を重ね合わせて配置するのがよい。なお、図６において、１１２は大引、１１４は転び止めである。
【００３６】
以上のように、本実施形態の断熱材支持ボード１は、断熱材支持ボード１の幅方向の両側部のうちの一方の側部に設けられた複数の折曲線３１、４１のうちのいずれかの折曲線を、断熱材を収容する空間を挟む根太１１０の内側面間の間隔に応じて選択し、選択した折曲線３１、４１で折曲片３２、４２を板体１０の裏面側に垂直に折り曲げることにより、断熱材支持ボード１の取付幅寸法を根太１１０の内側面間の間隔に合致させることができる。従って、１枚の断熱材支持ボード１でありながら、シングル根太の場合（根太１１０の内側面間の間隔が広い場合）の取付幅Ｌ１とダブル根太の場合（根太１１０の内側面間の間隔が狭い場合）の取付幅Ｌ２の両方に現場にて容易に対応させることができる。また、別途に用意した受材を使用せずに断熱材支持ボード１を根太１１０に固定することができる。
【００３７】
また、断熱材支持ボード１の裏面側に突き出す折曲片２２、３２、４２ではなく、折曲片２２、３２、４２と反対の表面側に起立する起立片２４、３４、４４を根太１１０に対して固定するようにしているので、断熱材支持ボード１をできるだけ断熱材の収容空間を大きくした位置で根太１１０に固定することができ、断熱材の収容量を大きくすることができる。
【００３８】
次に実際の施工時のその他の対応の仕方について述べる。
まず、断熱材支持ボード１を設置する際に、ダブル根太用の折り曲げを行った場合（２本の第１の折曲線３１、４１がある側部において内側の第１の折曲線４１で折り曲げた場合）、折曲片４２の下方への突き出し寸法が大きくなって通気の妨げになる可能性があるので、ダブル根太用の折り曲げを行った側部の側を、通気側に配置するのは避けるのがよい。
【００３９】
次に、図８に示すように、定ピッチの根太１１０の間に中間根太１１０ｃが存在する場合は、中間根太１１０ｃに対し、断熱材支持ボード１の下側からタッカー針２００を打ち込む。こうすることで、断熱材支持ボード１の支持力を増すことができる。
【００４０】
また、図９に示すように、根太１１０の間隔が定ピッチ時の寸法より狭い場合は、断熱材支持ボード１の幅方向の片端をカットし、断熱材支持ボード１の下側から根太１１０にタッカー針２００を打ち込む。この場合も、更に中間根太１１０ｃがある場合には、中間根太１１０ｃに対し、断熱材支持ボード１の下側からタッカー針２００を打ち込む。
【００４１】
また、断熱材支持ボード１の長手方向の納まりについて述べる。図１０に示すように、断熱材支持ボード１の長手方向の寸法が定尺で納まる場合は、断熱材支持ボード１の土台１１６等の上に載せないで、第２の折曲片５２を土台１１６の側面に沿わせる。また、断熱材支持ボード１の長手方向の寸法が定尺で納まらない場合は、図１１に示すように、断熱材支持ボード１の一端をカットし、カットし端部１０ｅを大引１１２や土台の天端に載せてタッカー針２００を打ち込んで固定する。
【００４２】
また、図１２（ｃ）に示すように、シングル根太１１０の一部に根太継手や補強根太１１０ｈが入っている場合は、その部分はダブル根太の寸法になるので、断熱材支持ボード１の一部をダブル根太の取付寸法にする。即ち、図１２（ａ）に示すように、根太継手や補強根太の長さに合わせた位置で、断熱材支持ボード１の側部に側端からダブル根太用の折曲線４１まで切り込みｋを入れる。そして、切り込みｋを境にして、図１２（ｂ）に示すように、該当部分Ｓ２はダブル根太用の折曲線４１で折り曲げ、残りはシングル根太用の折曲線３１で折り曲げる。そして、根太１１０間に組み立てた断熱材支持ボード１を設置することで、断熱材支持ボード１を安定的に配置し固定することができる。
【００４３】
また、図１３に示すように、配管２２０等がボードを貫通する場合は、ホールソー等を用いて断熱材支持ボード１に貫通孔１０ｘを明けて対応する。
【００４４】
また、図１４に示すように、タッカー針２００の外れや打ち損じを発見した場合は、床下側から起立片２４、３４、４４の切り起こし孔２７、３７、４７を通して、矢印Ｐのように、ビス等を打ち込むことで、補修することができる。床鳴り等で補修を行う場合も同様である。
【００４５】
なお、上述した実施形態では、本発明の断熱材支持ボードを床下の根太間に配設して断熱材を支持する場合を示したが、本発明の断熱材支持ボードは、床下に限らず、壁裏、天井裏や屋根裏の桟部材の間に断熱材を配置する場合にも適用することができる。
【００４６】
また、上記実施形態では、シングル根太とダブル根太の２通りの場合の取付幅に対応できるように、２本の折曲線３１、４１を設けた場合を述べたが、３本以上の折曲線を設けた３通りの取付幅に対応できるようにしてもよい。また、板体の一方の側部にだけ複数本の折曲線を設けるのではなく、一方の側部と他方の側部に複数本ずつ折曲線を振り分けて配置してもよい。
【符号の説明】
【００４７】
１  断熱材支持ボード
１０  板体
１１，１２  幅方向の側端
１３，１４  長手方向の側端
２１，３１，４１  第１の折曲線
２１Ａ，３１Ａ，４１Ａ  仮想直線
２１ｅ，３１ｅ，４１ｅ  近接端
２２，３２，４２  第１の折曲片
２３，３３，４３  第１の切込線
２４，３４，４４  起立片
２５，３５，４５  第２の切込線
２６，３６，４６  差込孔
５１  第２の折曲線
５２  第２の折曲片
５５  差込片
１１０  根太（桟部材）
２００  タッカー針（固定部材）
５００  断熱材
【図１】
2014190004.tif 000003
【図２】
2014190004.tif 000004
【図３】
2014190004.tif 000005
【図４】
2014190004.tif 000006
【図５】
2014190004.tif 000007
【図６】
2014190004.tif 000008
【図７】
2014190004.tif 000009
【図８】
2014190004.tif 000010
【図９】
2014190004.tif 000011
【図１０】
2014190004.tif 000012
【図１１】
2014190004.tif 000013
【図１２】
2014190004.tif 000014
【図１３】
2014190004.tif 000015
【図１４】
2014190004.tif 000016
【図１５】
2014190004.tif 000017